(57)【要約】【課題】  髪にアクセントをつけるセットができて、目的に応じた除電を行うことができるヘアケア装置を提供すること。【解決手段】  筺体１内に、ファン６と、ヒータ５と、プラスイオンと、マイナスイオンとを夫々独立に生成可能なイオン発生器７とを配置する。また、操作部１７で、筺体１内からマイナスイオンのみが排出されるマイナスイオン排出モードと、筺体１内から、プラスイオンと、マイナスイオンとが同時に排出される両イオン排出モードとを選択できるようにする。【選択図】  図２
2014231021.tif 000002
【特許請求の範囲】
【請求項１】
吸込口および吐出口を有した筺体内に、送風装置およびヒータを備えたヘアケア装置において、
前記ヘアケア装置に、さらに負イオン発生部と、正イオン発生部とを、互いに独立して駆動可能なイオン発生装置を備え、
前記負イオン発生部を駆動し、発生した負イオンを前記送風装置の駆動により排出させる負イオン排出モードと、
前記負イオン発生部、および正イオン発生部を駆動し、発生した正および負イオンを前記送風装置の駆動により排出させる両イオン排出モードとを切換える操作部を有したヘアケア装置。
【請求項２】
前記操作部は、前記ヒータの駆動または停止を選択することで、
前記負イオン排出モード、あるいは両イオン排出モードを、熱風あるいは冷風で行うことを可能にした請求項１記載のヘアケア装置。
【請求項３】
前記筺体には、折りたたみ可能なハンドルが設けられており、
前記ハンドルにモード切り替えのための前記操作部が設けられている請求項１または２に記載のヘアケア装置。
【発明の詳細な説明】
【技術分野】
【０００１】
本発明は、例えば、ドライヤや、ヘアアイロンや、ロールブラシ等のヘアケア装置に関する。
【背景技術】
【０００２】
従来、ヘアケア装置としては、特開２００８−４９１０１号公報（特許文献１）に記載されているドライヤがある。このドライヤは、空気流と共に、プラスイオンと、マイナスイオンとを同時に毛髪に対して送出することによって、毛髪における静電気の電荷を中和して、静電気を除去して、髪のまとまりが良くなるようにしている。
【０００３】
しかしながら、上記従来のドライヤは、髪のまとまりが良くなるようにはできるものの、例えば、髪の一部のみをたてるようにセットし、髪のセットにアクセントをつけることができないという問題がある。
【０００４】
また、ドライヤは、衣服や、傘等の乾燥にも、使用できるところ、上記従来のドライヤは、両イオンが必ず送出されるため、一方に帯電し易い材質、特に、マイナスに帯電し易い材質からなる衣類等の除電を効率的に行うことができず、冬場の乾燥期等に乾燥衣類に触れた人が静電気によって不快感を感じることがある。
【先行技術文献】
【特許文献】
【０００５】
【特許文献１】特開２００８−４９１０１号公報
【発明の概要】
【発明が解決しようとする課題】
【０００６】
そこで、本発明の課題は、髪にアクセントをつけるセットができて、目的に応じた除電を行うことができるヘアケア装置を提供することにある。
【課題を解決するための手段】
【０００７】
上記課題を解決するため、この発明のヘアケア装置は、吸込口および吐出口を有した筺体内に、送風装置およびヒータを備え、さらに負イオン発生部と、正イオン発生部とを、互いに独立して駆動可能なイオン発生装置を備える。
このイオン発生装置において、前記負イオン発生部を駆動し、発生した負イオンを前記送風装置の駆動により排出させる負イオン排出モードと、
前記負イオン発生部、および正イオン発生部を駆動し、発生した正および負イオンを前記送風装置の駆動により排出させる両イオン排出モードとを切換える操作部を有する。
また、この発明のヘアケア装置の前記操作部は、前記ヒータの駆動または停止を選択でき、前記負イオン排出モード、あるいは両イオン排出モードを、熱風あるいは冷風で行うことを可能にする。
さらに、この発明のヘアケア装置は、前記筺体に、折りたたみ可能なハンドルを設け、該ハンドルにモード切り替えのための前記操作部が設けられている。
【０００８】
尚、本発明のヘアケア装置には、ドライヤ、ヘアアイロンおよびロールブラシが含まれる。
【０００９】
本発明によれば、マイナスイオンのみが排出されるマイナスイオン排出モードを選択可能なイオンモード選択部を有しているから、例えば、初めに、マイナスイオン排出モードを選択して、プラスに帯電しやすい髪にマイナスイオンを吹き付けて、髪にしっとり感を持たせることができる。
【００１０】
また、本発明によれば、上記イオンモード選択にて、ラスイオンと、マイナスイオンとが同時に排出される両イオン排出モードを選択可能であるから、髪に、プラスイオンと、マイナスイオンとを同時に毛髪に対して送出することができる。したがって、毛髪における静電気の電荷を中和して、静電気を除去して、髪のまとまりが良くなるようにすることができる。
【発明の効果】
【００１１】
本発明によれば、マイナスイオンを排出されるマイナスイオン排出モードを選択することで、例えば、初めに、マイナスイオン排出モードを選択して、プラスに帯電しやすい髪にマイナスイオンを吹き付けて、髪にしっとり感を持たせることができる。
また、本発明によれば、プラスイオンと、マイナスイオンとが同時に排出される両イオン排出モードを選択することで、髪に、プラスイオンと、マイナスイオンとを同時に毛髪に対して送出することができて、毛髪における静電気の電荷を中和でき、髪のまとまりが良くなるようにすることができる。
【図面の簡単な説明】
【００１２】
【図１】本発明のヘアケア装置の一実施形態のドライヤの斜視図である。
【図２】上記ドライヤの縦断面図である。
【図３】ドライヤの後部側の部品を取り外して、ドライヤの後部側から筺体１内を見たときの斜視図であり、イオン発生器が取り付けられていない状態を示す図である。
【図４】ドライヤの後部側の部品を取り外して、ドライヤの後部側から筺体１内を見たときの斜視図であり、イオン発生器が取り付けられている状態を示す図である。
【図５】イオン発生器を前方側（凹部への挿入側）から見たときの斜視図である。
【図６】プラスイオンを単独で吐出でき、かつ、マイナスイオンを単独で吐出でき、かつ、プラスイオンおよびマイナスイオンを同時に吐出できる第１の変形例の機構を示す模式概念図である。
【図７】プラスイオンを単独で吐出でき、かつ、マイナスイオンを単独で吐出でき、かつ、プラスイオンおよびマイナスイオンを同時に吐出できる第２の変形例の機構を示す模式概念図である。
【図８】プラスイオンを単独で吐出でき、かつ、マイナスイオンを単独で吐出でき、かつ、プラスイオンおよびマイナスイオンを同時に吐出できる第３の変形例の機構を示す模式概念図である。
【図９】プラスイオンを単独で吐出でき、かつ、マイナスイオンを単独で吐出でき、かつ、プラスイオンおよびマイナスイオンを同時に吐出できる第４の変形例の機構を示す模式概念図である。
【図１０】プラスイオンを単独で吐出でき、かつ、マイナスイオンを単独で吐出でき、かつ、プラスイオンおよびマイナスイオンを同時に吐出できる第５の変形例の機構を示す模式概念図である。
【図１１】第５の変形例の機構におけるイオンの中和を説明するための図である。
【図１２】プラスイオンを単独で吐出でき、かつ、マイナスイオンを単独で吐出でき、かつ、プラスイオンおよびマイナスイオンを同時に吐出できる第６の変形例の機構を示す模式概念図である。
【図１３】変形例のドライヤの機構を説明する図である。
【図１４】変形例のドライヤの機構を説明する図である。
【図１５】変形例の電力供給装置の構成を示す模式図である。
【発明を実施するための形態】
【００１３】
以下、本発明を図示の形態により詳細に説明する。
【００１４】
図１は、本発明のヘアケア装置の一実施形態のドライヤの斜視図である。
【００１５】
図１に示すように、このドライヤは、筺体１と、ハンドル２と、吸気フィルタ３とを備える。
【００１６】
上記筺体１は、耐熱性に優れるプラスチックからなっている。上記筺体１は、内部が空洞になっている。上記筺体１は、吐出口１５と、吸込口１６とを有し、風が、筺体１内を、吸込口１６から吐出口１５まで流動するようになっている。
【００１７】
上記ハンドル２は、継手構造で筺体１に接続されている。上記ハンドル２は、筺体１に対して折りたたみ可能になっている。上記記ハンドル２は、筺体１に対して折りたたまれた状態で、略筺体１の延在方向と略同一の方向に延在するようになっており、収容され易い構造になっている。
【００１８】
上記ハンドル２は、イオンモード選択部としての一以上のボタンからなる操作部１７を有している。上記操作部１７は、ハンドル２の前方側かつハンドル２の長さ方向の中央部付近に位置している。
【００１９】
上記吸気フィルタ３は、筺体１の軸方向の後方側に着脱可能に取り付けられている。上記吸気フィルタ３は、金属又はプラスチック製であり、網目状や格子状に孔が開いている。上記吸気フィルタ３は、埃等大きな異物が入らないように、また、動作中に誤って指がファン（後の図２に示す）に触れないように保護する役割を果たしている。
【００２０】
図２は、上記ドライヤの縦断面図である。
【００２１】
図２に示すように、このドライヤは、ヒータ５と、送風装置としてのファン６と、イオン発生器７とを備える。上記筺体１の内部には、ファン６を駆動するための図示しないファンモータや、配線や、仕切板１０が設けられている。
【００２２】
ユーザは、操作部１７を操作することによって、上記ファンモータの回転速度を複数段階（例えば、２段階）に調整できるようになっており、適宜風の強さを調整できるようになっている。また、ユーザは、操作部１７を操作することによって、ヒータ５の駆動と停止とを選択できるようになっており、冷風と、熱風とを適宜、選択できるようになっている。また、上記イオン発生器７は、筺体内１内の所定の箇所に着脱可能に配置されるようになっている。
【００２３】
図３は、ドライヤの後部側の部品（吸気フィルタ３（図１参照）を含む）を取り外して、ドライヤの後部側から筺体１内を見たときの斜視図であり、イオン発生器７が取り付けられていない状態を示す図である。また、図４は、ドライヤの後部側の部品を取り外して、ドライヤの後部側から筺体１内を見たときの斜視図であり、イオン発生器７が取り付けられている状態を示す図である。
【００２４】
図３に示すように、このドライヤは、ファン６の後側かつ筺体１内の下側にイオン発生器７を嵌め込む凹部４８を有し、その凹部４８にイオン発生器７を容易に嵌め込みかつその凹部４８からイオン発生器７を容易に取り外すことができるようになっている。このようにして、イオン発生器７のメンテナンスまたは取り換えを容易に行うことができるようになっている。尚、図３および図４において、参照番号４６は、係止部を示している。この係止部４６は、吸気フィルタ３を含む後側の部分を、筺体１に係止するのに使用するようになっている。
【００２５】
図５は、イオン発生器７を前方側（凹部４８への挿入側）から見たときの斜視図である。
【００２６】
イオン発生器７は、プラスイオン発生部５０と、マイナスイオン発生部６０とを有し、プラスイオン発生部５０は、イオン発生器７を凹部に配置したとき、ドライヤの筺体１の幅方向にマイナスイオン発生部６０に間隔をおいて位置している。上記プラスイオン発生部５０は、プラスイオンを発生する一方、マイナスイオン発生部６０は、マイナスイオンを発生するようになっている。
【００２７】
詳しくは、上記プラスイオン発生部５０は、針電極５１と、円形の誘導電極５２とを有し、誘導電極５２は、針電極５１を取り囲むように配置されている。上記針電極５１は、円形の誘導電極５２の略中心に位置し、先端が尖った針形状をしている。上記誘導電極５２と、針電極５１の間隔は、８ｍｍになっている。
【００２８】
上記プラスイオン発生部５０では、例えば、針電極５１に実効電圧２ｋＶ以上の電圧と、０Ｖとが切り替わる６０Ｈｚの交流が印加される一方、誘導電極５２には、０Ｖの直流が印加されるようになっている。針電極５１に実効電圧２ｋＶ以上が印加されているときに誘導電極５２との間の電位差によるコロナ放電がおこり、針電極５１の先端部近傍で空気中の水分子が電離して、水素イオン（Ｈ＋）が生成する。この水素イオンが空気中の水分子と群状態で結合（クラスタリング）し、Ｈ＋（Ｈ２Ｏ）ｍ（ｍは、任意の自然数）からなるプラスイオンが発生する。
【００２９】
一方、上記マイナスイオン発生部６０も、針電極６１と、円形の誘導電極６２とを有し、誘導電極６２は、針電極６１を取り囲むように配置されている。上記針電極６１は、円形の誘導電極６２の略中心に位置し、先端が尖った針形状をしている。上記誘導電極６２と、針電極６１の間隔は、８ｍｍになっている。
【００３０】
上記マイナスイオン発生部６０では、例えば、針電極６１に実効電圧−２ｋＶ以下の電圧と、０Ｖとが切り替わる６０Ｈｚの交流が印加される一方、誘導電極６２には、０Ｖの直流が印加されるようになっており、マイナスイオンが発生するようになっている。このマイナスイオンは、空気中の酸素分子又は水分子が電離してできる酸素イオンＯ２−である。この酸素イオンが空気中の水分子と結合（クラスタリング）してＯ２−（Ｈ２Ｏ）ｎ（ｎは、任意の自然数）からなる負イオンが発生する。
【００３１】
この実施形態では、プラスイオン発生部５０と、マイナスイオン発生部６０とは、ユーザによる操作部１７の操作によって、互いに独立に駆動することができ、詳しくは、プラスイオン発生部５０のみを駆動させることができ、また、マイナスイオン発生部６０のみを駆動させることができ、また、両イオン発生部５０,６０を同時に駆動させることもできる。なお、ここでいう同時とは全く同時にイオン発生部５０，６０を駆動させるだけではなく、例えば交流の一周期のプラス周期の時にイオン発生部５０が駆動され、マイナス周期の時にイオン発生部６０が駆動されるような場合も本特許でいう同時に駆動する状態に含まれる。
【００３２】
詳しくは、このドライヤには、操作部の近傍にマイクロコンピュータ（以下、マイコンという）を含む電子部品が内蔵され、ユーザからの指示に基づいて、マイコンが、周知の回路で、各イオン発生部５０,６０の電力を互いに独立に通遮電できるようになっている。または、トランジスタ等のスイッチ素子を使った回路により各イオン発生部５０,６０の電力を互いに独立に通遮電してもよい。そして、電源から供給された電圧を、昇圧トランスで適宜昇圧して、プラスイオン発生部５０の電極５１,５２の間に印加し、また、マイナスイオン発生部６０の電極間６１,６２の間に印加するようになっている。
【００３３】
このドライヤでは、ユーザは、操作部１７を介して、プラスイオンのみが排出されるプラスイオン排出モードを選択でき、プラスイオン排出モードが選択されると、マイコンが、プラスイオン発生部５０のみを通電するようになっており、ドライヤから吐出される風（熱風や冷風）にプラスイオンのみが混合されるようになっている。
【００３４】
また、ユーザは、操作部１７を介して、マイナスイオンのみが排出されるマイナスイオン排出モードを選択でき、マイナスイオン排出モードが選択されると、マイコンが、マイナスイオン発生部６０のみを通電するようになっており、ドライヤから吐出される風（熱風や冷風）にマイナスイオンのみが混合されるようになっている。
【００３５】
また、ユーザは、操作部１７を介して、筺体１内から、上記プラスイオンと、マイナスイオンとが同時に排出される両イオン排出モードを選択でき、両イオン排出モードが選択されると、マイコンが、プラスイオン発生部５０およびマイナスイオン発生部６０の両方を通電するようになっており、ドライヤから吐出される風（熱風や冷風）にプラスイオンとマイナスイオンの両方が混合されるようになっている。
【００３６】
上記実施形態のドライヤによれば、マイナスイオンのみが排出されるマイナスイオン排出モードと、プラスイオンのみが排出されるプラスイオン排出モードとを選択可能な操作部１７を有しているから、ユーザーは、例えば、初めに、マイナスイオン排出モードを選択して、プラスに帯電しやすい髪にマイナスイオンを吹き付けて、髪にしっとり感を持たせた後、プラスイオン排出モードを選択して、髪に局所的かつ部分的にプラスイオンを吹き付けて、髪を局所的に立たせる等することができる。したがって、髪のセットにアクセントをつけることができる。
【００３７】
また、上記実施形態のドライヤによれば、プラスイオンのみが排出されるプラスイオン排出モードを選択できるから、マイナスに帯電しやすい、ポリプロピレン、ポリエステル・ＰＥＴ、アクリル、ポリウレタン、ポリエチレン、塩化ビニル、シリコン、テフロン（登録商標）、ゴム等からなる衣類や傘の乾燥時や乾燥後にプラスイオン排出モードを選択して、それら衣類や傘にプラスイオンを吹き付けることができる。したがって、それら衣類や傘が帯びているマイナス電荷を効率的に中和できるから、例えば、冬場の乾燥期等に乾燥衣類に触れた人が静電気によって不快感を感じることを確実に防止できる。
【００３８】
また、上記実施形態のドライヤによれば、イオンモード選択部である操作部１７で、プラスイオンと、マイナスイオンとが同時に排出される両イオン排出モードを選択可能であるから、髪に、プラスイオンと、マイナスイオンとを同時に毛髪に対して送出することができる。したがって、毛髪における静電気の電荷を中和して、静電気を除去して、髪のまとまりが良くなるようにすることができる。
【００３９】
尚、上記実施形態のドライヤでは、プラスイオン発生部５０と、マイナスイオン発生部６０とを、互いに独立に駆動できるようにして、プラスイオンを単独で吐出できるようにし、また、プラスイオンを単独で吐出できるようにした。しかしながら、この発明では、他の機構を用いて、プラスイオンを単独で吐出できるようにし、または、マイナスイオンを単独で吐出できるようにしても良い。
【００４０】
上記実施形態では、マイコンや回路によりイオン発生器の駆動を切り替えることによりプラスイオン、マイナスイオン、プラスイオンおよびマイナスイオンを同時に吐出できる状態を切り替えた。ここからは、イオン発生器以外の手段でイオンの状態を切り替える例を示す。
図６は、プラスイオンを単独で吐出でき、かつ、マイナスイオンを単独で吐出でき、かつ、プラスイオンおよびマイナスイオンを同時に吐出できる第１の変形例の機構を示す模式概念図である。
【００４１】
この第１の変形例の機構では、イオン発生器（イオン発生素子）１０７は、プラスイオン発生部１５０と、マイナスイオン発生部１６０とを有し、プラスイオン発生部１５０と、マイナスイオン発生部１６０とは、必ず同時に駆動されるようになっている。なお、ここでいう同時とは全く同時にイオン発生部５０，６０を駆動させるだけではなく、例えば交流の一周期のプラス周期の時にイオン発生部５０が駆動され、マイナス周期の時にイオン発生部６０が駆動されるような場合も本特許でいう同時に駆動する状態に含まれる。
【００４２】
図６に示すように、この第１の変形例の機構は、送風装置であるファン１０６よりも、ファン１０６により生成される風の流れの下流側にイオン発生器１０７を配置し、各イオン発生部１５０,１６０の夫々は、上記実施形態と同様に、放電を行う針電極と、円形の誘導電極とを有し、誘導電極は、針電極を取り囲むように配置されている。また、プラスイオン発生部１５０の風下側にプラスイオン発生部１５０から発生したプラスイオンを収容すると共に、風下側に開口を有する一方、風上側に空気流入口（図示せず）を有する仕切壁等からなるプラスイオン収容室１８０と、そのプラスイオン収容室１８０の上記風下側の開口を開閉する第１開閉装置１９０とを有する。上記第１開閉装置１９０は、周知のシャッタ機構や、電磁弁等で構成されることができ、ユーザの操作部（イオンモード選択部としての機能も兼ねる）を介した操作によって生成された信号を受けたマイクロコンピュータによって開閉が制御されるようになっている。
【００４３】
また、マイナスイオン発生部１６０の風下側にマイナスイオン発生部１６０から発生したマイナスイオンを収容すると共に、風下側に開口を有する一方、風上側に空気流入口を有するマイナスイオン収容室１８１と、そのマイナスイオン収容室１８１の上記風下側の開口を開閉する第２開閉装置１９１とを有する。第２開閉装置は、周知のシャッタ機構や、電磁弁等で構成されることができ、ユーザの操作部を介した操作によって生成された信号を受けたマイクロコンピュータによって開閉が制御されるようになっている。
【００４４】
この第１の変形例では、ユーザの操作によって、イオン発生器１０７が駆動され、ファン１０６が駆動され、かつ、プラスイオン収容室１８０の上記風下側の開口のみが開かれた状態になると（図示しないヒータは、いかなる駆動状態または停止状態でも良い）、ドライヤから、プラスイオンのみを含んだ風が吐出されるようになっている。
【００４５】
また、ユーザの操作によって、イオン発生器１０７が駆動され、ファン１０６が駆動され、かつ、マイナスイオン収容室１８１の上記風下側の開口のみが開かれた状態になると（ヒータは、いかなる駆動状態または停止状態でも良い）、ドライヤから、マイナスイオンのみを含んだ風が吐出されるようになっている。
【００４６】
また、ユーザの操作によって、イオン発生器１０７が駆動され、ファン１０６が駆動され、かつ、プラスイオン収容室１８０およびマイナスイオン収容室１８１の両方の開口が開かれた状態になると（ヒータは、いかなる駆動状態または停止状態でも良い）、ドライヤから、プラスイオンおよびマイナスイオンを含んだ風が吐出されるようになっている。
【００４７】
図７は、プラスイオンを単独で吐出でき、かつ、マイナスイオンを単独で吐出でき、かつ、プラスイオンおよびマイナスイオンを同時に吐出できる第２の変形例の機構を示す模式概念図である。
【００４８】
この第２の変形例の機構では、イオン発生器（イオン発生素子）２０７は、プラスイオン発生部２５０と、マイナスイオン発生部２６０とを有し、プラスイオン発生部２５０と、マイナスイオン発生部２６０とは、必ず同時に駆動されるようになっている。なお、ここでいう同時とは全く同時にイオン発生部５０，６０を駆動させるだけではなく、例えば交流の一周期のプラス周期の時にイオン発生部５０が駆動され、マイナス周期の時にイオン発生部６０が駆動されるような場合も本特許でいう同時に駆動する状態に含まれる。
【００４９】
図７に示すように、この第２の変形例の機構は、送風装置であるファン２０６よりも、ファン２０６により生成される風の流れの下流側にイオン発生器２０７を配置し、各イオン発生部２５０,２６０の夫々は、上記実施形態と同様に、放電を行う針電極と、円形の誘導電極とを有し、誘導電極は、針電極を取り囲むように配置されている。また、プラスイオン発生部２５０の風上側から風下側にかけてプラスイオン発生部２５０から発生したプラスイオンを収容すると共に、風上側に開口を有する一方、風下側に空気流出口を有するプラスイオン収容室２８０と、そのプラスイオン収容室２８０の上記風上側の開口を開閉する第１開閉装置２９０とを有する。上記第１開閉装置２９０は、周知のシャッタ機構や、電磁弁等で構成されることができ、ユーザの操作部（イオンモード選択部としての機能も兼ねる）を介した操作によって生成された信号を受けたマイクロコンピュータによって開閉が制御されるようになっている。
【００５０】
また、マイナスイオン発生部２６０の風上側から風下側にかけてマイナスイオン発生部２６０から発生したマイナスイオンを収容すると共に、風上側に開口を有する一方、風下側に空気流出口を有するマイナスイオン収容室２８１と、そのマイナスイオン収容室２８１の上記風上側の開口を開閉する第２開閉装置２９１とを有する。上記第２開閉装置２９１は、周知のシャッタ機構や、電磁弁等で構成されることができ、ユーザの操作部を介した操作によって生成された信号を受けたマイクロコンピュータによって開閉が制御されるようになっている。
【００５１】
この第２の変形例では、ユーザの操作によって、イオン発生器２０７が駆動され、ファン２０６が駆動され、かつ、プラスイオン収容室２８０の開口のみが開かれた状態になると（ヒータは、いかなる駆動状態または停止状態でも良い）、ドライヤから、プラスイオンのみを含んだ風が吐出されるようになっている。
【００５２】
また、ユーザの操作によって、イオン発生器２０７が駆動され、ファン２０６が駆動され、かつ、マイナスイオン収容室２８１の開口のみが開かれた状態になると（ヒータは、いかなる駆動状態または停止状態でも良い）、ドライヤから、マイナスイオンのみを含んだ風が吐出されるようになっている。
【００５３】
また、ユーザの操作によって、イオン発生器２０７が駆動され、ファン２０６が駆動され、かつ、プラスイオン収容室２８０およびマイナスイオン収容室２８１の両方の開口が開かれた状態になると（ヒータは、いかなる駆動状態または停止状態でも良い）、ドライヤから、プラスイオンおよびマイナスイオンを含んだ風が吐出されるようになっている。
【００５４】
図８は、プラスイオンを単独で吐出でき、かつ、マイナスイオンを単独で吐出でき、かつ、プラスイオンおよびマイナスイオンを同時に吐出できる第３の変形例の機構を示す模式概念図である。
【００５５】
第３の変形例では、イオン発生器（イオン発生素子）３０７は、プラスイオン発生部３５０と、マイナスイオン発生部３６０とを有し、プラスイオン発生部３５０と、マイナスイオン発生部３６０とは、必ず同時に駆動されるようになっている。なお、ここでいう同時とは全く同時にイオン発生部５０，６０を駆動させるだけではなく、例えば交流の一周期のプラス周期の時にイオン発生部５０が駆動され、マイナス周期の時にイオン発生部６０が駆動されるような場合も本特許でいう同時に駆動する状態に含まれる。各イオン発生部３５０,３６０の夫々は、上記実施形態と同様に、放電を行う針電極と、円形の誘導電極とを有し、誘導電極は、針電極を取り囲むように配置されている。
【００５６】
また、プラスイオン発生部３５０の風下側にプラスイオン発生部から発生したプラスイオンを収容すると共に、風下側に空気流出口を有する一方、風上側に空気流入口を有する仕切壁等からなるプラスイオン収容室３８０と、そのプラスイオン収容室３８０のプラスイオン発生部３５０よりも風下側に配置された第１送風装置としての第１ファン３９０とを有する。
【００５７】
また、マイナスイオン発生部３６０の風下側にマイナスイオン発生部３６０から発生したマイナスイオンを収容すると共に、風下側に空気流出口を有する一方、風上側に空気流出口を有する仕切壁等からなるマイナスイオン収容室３８１と、そのマイナスイオン収容室３８１のマイナスイオン発生部３６０よりも風下側に配置された第２送風装置としての第２ファン３９１とを有する。
【００５８】
この第３の変形例では、ユーザの操作部を介した操作によって、マイクロコンピュータが、第１ファン３９０および第２ファン３９１を互いに独立に駆動させることができるようになっている。
【００５９】
この第３の変形例では、ユーザの操作によって、イオン発生器３０７が駆動され、第１ファン３９０のみが駆動されると（ヒータは、いかなる駆動状態または停止状態でも良い）、発生したマイナスイオンは、吐出口の方に送られない一方、発生したプラスイオンが、吐出口の方に送られて、ドライヤから、プラスイオンのみを含んだ風が吐出されるようになっている。
【００６０】
また、ユーザの操作によって、イオン発生器３０７が駆動され、第２ファン３９１のみが駆動されると（ヒータは、いかなる駆動状態または停止状態でも良い）、発生したプラスイオンは、吐出口の方に送られない一方、発生したマイナスイオンが、吐出口の方に送られて、ドライヤから、マイナスイオンのみを含んだ風が吐出されるようになっている。
【００６１】
また、ユーザの操作によって、イオン発生器３０７が駆動され、第１および第２ファン３９０,３９１が駆動されると（ヒータは、いかなる駆動状態または停止状態でも良い）、プラスイオン発生部３５０で発生したプラスイオンが、吐出口の方に送られると共に、マイナスイオン発生部３６０で発生したマイナスイオンが、吐出口の方に送られて、ドライヤから、プラスイオンおよびマイナスイオンを含んだ風が吐出されるようになっている。
【００６２】
図９は、プラスイオンを単独で吐出でき、かつ、マイナスイオンを単独で吐出でき、かつ、プラスイオンおよびマイナスイオンを同時に吐出できる第４の変形例の機構を示す模式概念図である。
【００６３】
第４の変形例では、イオン発生器４０７は、プラスイオン発生部４５０と、マイナスイオン発生部４６０とを有し、プラスイオン発生部４５０と、マイナスイオン発生部４６０とは、必ず同時に駆動されるようになっている。なお、ここでいう同時とは全く同時にイオン発生部５０，６０を駆動させるだけではなく、例えば交流の一周期のプラス周期の時にイオン発生部５０が駆動され、マイナス周期の時にイオン発生部６０が駆動されるような場合も本特許でいう同時に駆動する状態に含まれる。各イオン発生部４５０,４６０の夫々は、上記実施形態と同様に、放電を行う針電極と、円形の誘導電極とを有し、誘導電極は、針電極を取り囲むように配置されている。
【００６４】
また、プラスイオン発生部４５０の風上側から風下側にかけて、プラスイオン発生部４５０から発生したプラスイオンを収容すると共に、風下側に空気流出口を有する一方、風上側に空気流入口を有する仕切壁等からなるプラスイオン収容室４８０と、そのプラスイオン収容室４８０のプラスイオン発生部４５０よりも風上側に配置された第１送風装置としての第１ファン４９０とを有する。
【００６５】
また、マイナスイオン発生部４６０の風上側から風下側にかけて、マイナスイオン発生部４６０から発生したマイナスイオンを収容すると共に、風下側に空気流出口を有する一方、風上側に空気流出口を有する仕切壁等からなるマイナスイオン収容室４８１と、そのマイナスイオン収容室４８１のマイナスイオン発生部よりも風上側に配置された第２送風装置としての第２ファン４９１とを有する。
【００６６】
この第４の変形例では、ユーザの操作部を介した操作によって、マイクロコンピュータが、第１ファン４９０と、第２ファン４９１とを互いに独立に駆動させることができるようになっている。
【００６７】
この第４の変形例では、ユーザの操作によって、イオン発生器４０７が駆動され、第１ファン４９０のみが駆動されると（ヒータは、いかなる駆動状態または停止状態でも良い）、マイナスイオン発生部４６０で発生したマイナスイオンは、吐出口の方に送られない一方、プラスイオン発生部４５０発生したプラスイオンが、吐出口の方に送られて、ドライヤから、プラスイオンのみを含んだ風が吐出されるようになっている。
【００６８】
また、ユーザの操作によって、イオン発生器４０７が駆動され、第２ファン４９１のみが駆動されると（ヒータは、いかなる駆動状態または停止状態でも良い）、プラスイオン発生部４５０で発生したプラスイオンは、吐出口の方に送られない一方、マイナスイオン発生部４６０で発生したマイナスイオンが、吐出口の方に送られて、ドライヤから、マイナスイオンのみを含んだ風が吐出されるようになっている。
【００６９】
また、ユーザの操作によって、イオン発生器４０７が駆動され、第１および第２ファン４９０,４９１の両方が駆動されると（ヒータは、いかなる駆動状態または停止状態でも良い）、プラスイオン発生部４５０で発生したプラスイオンが、吐出口の方に送られると共に、マイナスイオン発生部４６０で発生したマイナスイオンが、吐出口の方に送られて、ドライヤから、プラスイオンおよびマイナスイオンの両方を含んだ風が吐出されるようになっている。
【００７０】
図１０は、変形例のイオン発生器を示す模式図である。
【００７１】
この変形例では、ファン５６３よりもファン５６３により生成される風の流れの下流にイオン発生器（イオン発生素子）５０７が存在している。図１０に示すように、イオン発生器５０７のプラスイオン発生部５５０は、プラスイオンを放出する針電極５５１と、針電極５５１の上流側に位置すると共に、マイナスに帯電が可能な電極５５２とを有している。そして、電極５５２がマイナスに帯電すれば、図１１に示すように、針電極５５１から放出されるプラスイオンと、電極５５２のマイナス電荷(または、電極５５２が帯びているマイナス電荷)とが、中和されるようになっている。また、同様に、イオン発生器５０７のマイナスイオン発生部５６０は、マイナスイオンを放出する針電極５６１と、針電極５６１の上流側に位置すると共に、プラスに帯電が可能な電極５６２とを有している。そして、電極５６２がプラスに帯電すれば、針電極５５６１から放出されるマイナスイオンと、電極５６２のプラス電荷が、中和されるようになっている。図１０の変形例では、針電極５５１,５６１の上流側に位置する電極５５２,５６２に電荷を帯びさせることにより、放出しないイオンを適宜中和させるようにして、プラスイオンおよびマイナスイオンの少なくとも一方を選択的に放出するようになっている。
【００７２】
図１２は、変形例のイオン発生器を示す模式図である。
【００７３】
この変形例では、ファン６６３よりもファン６６３により生成される風の流れの下流にイオン発生器（イオン発生素子）６１７が存在している。図１２に示すように、イオン発生器６１７のプラスイオン発生部６６０は、プラスイオンを放出する針電極６６１と、針電極６６１の下流側に位置すると共に、マイナスに帯電が可能な穴が空いた電極６６２とを有している。そして、電極６６２にマイナスに帯電すれば、針電極６６１から放出されるプラスイオンと、マイナスに帯電している電極６６２とが、中和されるようになっている。また、同様に、イオン発生器６１７のマイナスイオン発生部６７０は、マイナスイオンを放出する針電極６７１と、針電極６７１の上流側に位置すると共に、プラスに帯電が可能な穴が空いた電極６７２とを有している。そして、電極６７２にプラスに帯電すれば、針電極６７１から放出されるマイナスイオンと、プラスに帯電している電極６７２とが、中和されるようになっている。図１２の変形例では、針電極６６１,６７１の上流側に位置する電極６６２,６７２に電荷を帯電させることにより、放出しないイオンを適宜中和させるようにして、プラスイオンおよびマイナスイオンの少なくとも一方を選択的に放出するようになっている。
【００７４】
図１３は、変形例のイオン発生器を示す模式図である。
【００７５】
この変形例では、ファン８０５よりもファン８０５により生成される風の流れの下流にイオン発生器８０７が存在している。図１３に示すように、このイオン発生素子８０７はイオン発生素子８１１と、イオン発生素子８１１よりも上記風の流れの下流に位置していると共に、穴の空いた金網状の電極８８０とを有している。この変形例では、例えば、吐出口付近等に位置する電極８８０をプラスもしくはマイナスに帯電させることで、一方のイオンを中和して、他方のイオンのみを吐出するか、または、電極８８０に電荷を帯電させないことで、両方のイオンを吐出するようになっている。
【００７６】
尚、上記実施形態のドライヤでは、プラスイオンと、マイナスイオンとを夫々単独で吐出できたが、この発明では、プラスイオン発生部は、単位時間あたりに発生するプラスイオンの数を、変動させることができない構成であっても、単位時間あたりに発生するプラスイオンの数を、適宜調整できる構成であっても、どちらでも良い。例えば、単位時間あたりに発生するプラスイオンの数を適宜調整できる構成は、電極間に印加する電圧の実効値を変動する構成や、開閉装置が、開口の塞ぐ割合を変動する構成（例えば、開口の全てを覆うことができると共に、開口の５０％を覆うことができる構成（シャッタをスライドさせる構成で可能））等で実現できる。また、同様に、マイナスイオン発生部は、単位時間あたりに発生するマイナスイオンの数を、変動させることができない構成であっても、単位時間あたりに発生するマイナスイオンの数を、適宜調整できる構成であっても、どちらでも良い。また、この発明では、吐出可能なプラスイオンの単位時間あたりの数と、吐出可能なマイナスイオンの単位時間あたりの数とを、同一にしても良く、または、異なるようにしても良い。
【００７７】
図１４は、変形例のドライヤの機構を説明する図であり、プラスイオンおよびマイナスイオンを同時に発生させるイオン発生器を使用した場合に、プラスイオンと、マイナスイオンとを分離させて、排出する機構の一例を説明する図である。
【００７８】
図１４に示すように、このドライヤは、イオン発生器６０７と、電場印加装置６２０と、正負イオン仕切り部６３０と、図示しない送風装置とを備える。上記電場印加装置６２０は、送風装置によって生成される風の流れの方向に垂直な方向に電場を印加するようになっている。また、上記電場印加装置６２０は、イオン発生器６０７よりも上記風の流れの風下に位置している。
【００７９】
このドライヤは、上記イオン発生器６０７で同時に発生するプラスイオンおよびマイナスイオンを、送風装置によって生成される風とともに、風下の方に送って、電場印加領域を通過させるようになっている。このようにして、電場印加領域を通過するマイナスイオン６４０を、矢印Ａで示すように高電位側に進行させて、高電位側に振りわける一方、電場印加領域を通過するプラスイオン６５０を、矢印Ｂで示すように低電位側に進行させて、低電位側に振りわける。このようにして、仕切り部６３０を境にして、プラスイオン６５０と、マイナスイオン６４０とを分離するようにする。後、既存のシャッタ技術等を使用して、プラスイオン６５０と、マイナスイオン６４０とのうちの一方のみを、筺体から容易に排出させることができる。
【００８０】
尚、このドライヤは、プラスイオン６５０と、マイナスイオン６４０とを同時に排出させたい時には、ユーザの操作部を介した信号を受けたマイクロコンピュータによって、電場印加装置６０７を停止させるようにすることによって、プラスイオン６５０と、マイナスイオン６４０と分離させずに同時に排出させることができる。
【００８１】
また、イオンの移動速度である風速は、電子線の速度と比較して、格段に低いので、電場印加装置６２０で印加される電場の強さを適宜調整することによって、プラスイオン６５０およびマイナスイオン６４０の進行方向を変えることができて、プラスイオン６５０と、マイナスイオン６４０とを分離することができる。
【００８２】
また、上記実施形態では、プラスイオン発生部５０,１５０,２５０,３５０,４５０,５５０と、マイナスイオン発生部６０,１６０,２６０,３６０,４６０,５６０とを、夫々単独で駆動、または、両方同時に駆動することにより、プラスイオン排出モードと、マイナスイオン排出モードと、両イオン排出モードとが実現できるようにした。しかしながら、この発明では、プラスイオン発生部と、マイナスイオン発生部と、両イオンを同時に発生させる両イオン発生部という３つのイオン発生部を有する構成であっても良い。そして、図１５、すなわち、変形例の電力供給装置の構成を示す模式図に示すように、商用電源から供給される電圧を、昇圧回路７００で昇圧した後、スイッチング回路７１０で、マイナスイオン発生部用ドライバ７２０に供給するか、または、プラスイオン発生部用電流ドライバ７３０に供給するか、または、両イオン発生部用電流ドライバ７４０に供給するようになっていても良い。そして、各電流ドライバから、プラスイオン発生部、マイナスイオン発生部または両イオン発生部に電流を供給して、プラスイオン発生部、マイナスイオン発生部または両イオン発生部を互いに独立に駆動するようになっていても良い。
【００８３】
尚、上記実施形態および上記説明した複数の変形例で説明した全ての発明特定事項のうちの二以上の発明特定事項を組み合わせて、新たな本発明の実施形態を作成できることは、言うまでもない。
【００８４】
また、上記実施形態および変形例では、ドライヤを例に、本発明についての説明を行ったが、この発明のヘアケア装置が、ドライヤに限らないのは、言うまでもない。例えば、この発明は、ヘアアイロンやロールブラシであっても良く、また、髪のケアに使用できる装置であれば、如何なる装置であっても良い。
【００８５】
この発明のヘアケア装置は、筺体と、上記筺体内に配置されたヒータと、上記筺体内に配置されると共に、プラスイオンと、マイナスイオンとを生成可能なイオン発生器と、上記筺体内からプラスイオンのみが排出されるプラスイオン排出モードと、上記筺体内から上記マイナスイオンのみが排出されるマイナスイオン排出モードと、上記筺体内から、上記プラスイオンと、上記マイナスイオンとが同時に排出される両イオン排出モードとを選択可能なイオンモード選択部とを備える。
【００８６】
本発明によれば、プラスイオンのみが排出されるプラスイオン排出モードと、マイナスイオンのみが排出されるマイナスイオン排出モードとを選択可能なイオンモード選択部を有しているから、例えば、初めに、マイナスイオン排出モードを選択して、プラスに帯電しやすい髪にマイナスイオンを吹き付けて、髪にしっとり感を持たせた後、プラスイオン排出モードを選択して、髪に局所的かつ部分的にプラスイオンを吹き付けて、髪を局所的に立たせる等することができる。したがって、髪のセットにアクセントをつけることができる。
【００８７】
また、本発明によれば、プラスイオンのみが排出されるプラスイオン排出モードを選択できるから、マイナスに帯電しやすい、ポリプロピレン、ポリエステル・ＰＥＴ、アクリル、ポリウレタン、ポリエチレン、塩化ビニル、シリコン、テフロン（登録商標）、ゴム等からなる衣類や傘の乾燥時や乾燥後にプラスイオン排出モードを選択して、それら衣類や傘にプラスイオンを吹き付けることができる。
【００８８】
したがって、それら衣類や傘に帯電しているマイナス電荷を効率的に除電できるから、例えば、冬場の乾燥期等に乾燥衣類に触れた人が静電気によって不快感を感じることを確実に防止できる。
【００８９】
また、本発明によれば、上記イオンモード選択部が、上記プラスイオンと、マイナスイオンとが同時に排出される両イオン排出モードを選択可能であるから、髪に、プラスイオンと、マイナスイオンとを同時に毛髪に対して送出することができる。したがって、毛髪における静電気の電荷を中和して、静電気を除去して、髪のまとまりが良くなるようにすることができる。
【００９０】
また、一実施形態では、上記イオン発生器は、開口を有するプラスイオン発生室と、開口を有するマイナスイオン発生室と、上記プラスイオン発生室内にプラスイオンを発生するプラスイオン発生部と、上記マイナスイオン発生室内にマイナスイオンを発生するマイナスイオン発生部と、上記プラスイオン発生室の開口を開閉する第１開閉装置と、上記マイナスイオン発生室の開口を開閉する第２開閉装置とを有している。
【００９１】
上記の実施形態によれば、本発明を簡易な構成で実現することができる。
【符号の説明】
【００９２】
１  筺体
５  ヒータ
６,１０６,２０６,５６３,６６３,８０５  ファン
７,１０７,２０７,３０７,４０７,６０７,６１７,８０７  イオン発生器
１７  操作部
５０,１５０,２５０,３５０,４５０,５５０  プラスイオン発生部
５１  プラスイオン発生部の針電極
５２  プラスイオン発生部の誘導電極
６０,１６０,２６０,３６０,４６０,５６０  マイナスイオン発生部
６１  マイナスイオン発生部の針電極
６２  マイナスイオン発生部の誘導電極
１８０,２８０,３８０,４８０  プラスイオン収容室
１８１,２８１,３８１,４８１  マイナスイオン収容室
１９０,２９０  第１開閉装置
１９１,２９１  第２開閉装置
３９０,４９０  第１ファン
３９１,４９１  第２ファン
６４０  マイナスイオン
６５０  プラスイオン
【図１】
2014231021.tif 000003
【図２】
2014231021.tif 000004
【図３】
2014231021.tif 000005
【図４】
2014231021.tif 000006
【図５】
2014231021.tif 000007
【図６】
2014231021.tif 000008
【図７】
2014231021.tif 000009
【図８】
2014231021.tif 000010
【図９】
2014231021.tif 000011
【図１０】
2014231021.tif 000012
【図１１】
2014231021.tif 000013
【図１２】
2014231021.tif 000014
【図１３】
2014231021.tif 000015
【図１４】
2014231021.tif 000016
【図１５】
2014231021.tif 000017